(57)【要約】【課題】本発明は、歩行者、車椅子の走行にも安全でかつ上部を格子状とされても芝生の土壌、砂利の充填を容易とする区画枠体の施工方法の提案である。【解決手段】本発明は、ブロックを挿入あるいは形成するためのブロック形成部と植物を育成するための緑化部を有し、前記緑化部の上面は複数の透孔を有する蓋部で覆われた区画枠体を敷き設してなされるブロック舗装方法において、前記区画枠体の裏面を写し取る裏面写取型を用いて区画枠体の裏面に相当する裏面体を緑化部に用いる土壌で形成し、前記裏面体上に区画枠体を敷き設しながら行う区画枠体の敷き設方法である。裏面体を緑化部に充填する土壌を用いて形成する。【選択図】図1
2006022476.tif 000002
【特許請求の範囲】
【請求項１】
ブロックを挿入あるいは形成するためのブロック形成部と植物を育成するための緑化部を有し、前記緑化部の上面は複数の透孔を有する蓋部で覆われた区画枠体を敷き設してなされるブロック舗装方法において、前記区画枠体の裏面を写し取る裏面写取型を用いて区画枠体の裏面に相当する裏面体を緑化部に用いる土壌で形成し、前記裏面体上に区画枠体を敷き設しながら行うことを特徴とする区画枠体の敷き設方法。
【請求項２】
請求項1記載の裏面体をコケの育成しやすい粒体もしくはコケをその表面で育てた粒体を混合した土壌を用いて形成することを特徴とする区画枠体の敷き設方法。
【発明の詳細な説明】
【技術分野】
【０００１】
本発明は、緑化可能なブロック舗装技術に属する。
【背景技術】
【０００２】
従来のブロック舗装は、（１）インターロッキングを含むレンガの敷設によるブロック舗装、（２）プラスチック製などの枠体内に木製、タイル製、石製のブロックを挿入し、その枠体に設けた接続部で相互に接続し簡便にブロック舗装を実施する枠体ブロック舗装あるいは（３）前記枠体を敷き設し、枠体に設けた区画部にセメントなどを流し込んでブロック舗装を実施する方法等が知られている。その（２）および（３）のブロック舗装の詳細は特開2000-204507、特開2001-000051、特開2001-003305、特開2001-193006等に開示されている。
【０００３】
枠体に設けられた所定区画内にタイル、石製などの既成のブロックをはめ込みあるいはコンクリートを流し込んでブロック舗装を形成する上記手段の一部には、ブロックを充填する区画とは異なる区画部が設けられている。この区画部は欠落可能な天井部で覆われ、ブロック舗装を完了した後欠落させ、その部分を雨水の透水性部とし、またその部分に芝を育成させ緑ゆたかなブロック舗装を可能としている。
【０００４】
上記透水部は芝の育成あるいは砂利を充填することを目的の一部としているため露出され、芝生の培養土が充填されていても流出したりして窪みとなり歩行時、特にかかとの細いハイヒールあるいは自転車、車椅子などに使用される細いタイヤが挟まるおそれもあった。そのため、上記透水部を格子状とし上記ハイヒールあるいは自転車、車椅子などに使用される細いタイヤが挟まるおそれを解消する提案がなされ本出願人により図１に示す区画枠体が特願2003-350271にて出願されている。そのため芝生などを育てる土壌の充填が従来の区画枠体より難しくなるという問題があった。
【０００５】
【特許文献１】特開2000-204507
【特許文献２】特開2001-000051
【特許文献３】特開2001-003305
【特許文献４】特開2001-193006
【特許文献５】特願2003-350271
【発明の開示】
【発明が解決しようとする課題】
【０００６】
本発明は、歩行者、車椅子の走行にも安全でかつ上部を格子状とされても芝生の土壌、砂利の充填を容易とする区画枠体の施工方法の提案である。
【課題を解決するための手段】
【０００７】
本第1の発明は、ブロックを挿入あるいは形成するためのブロック形成部と植物を育成するための緑化部を有し、前記緑化部の上面は複数の透孔を有する蓋部で覆われた区画枠体を敷き設してなされるブロック舗装方法において、前記区画枠体の裏面を写し取る裏面写取型を用いて区画枠体の裏面に相当する裏面体を緑化部に用いる土壌で形成し、前記裏面体上に区画枠体を敷き設しながら行う区画枠体の敷き設方法であり、
本第2の発明は、上記載の裏面体をコケの育成しやすい粒体もしくはコケをその表面で育てた粒体を混合した土壌を用いて形成せる区画枠体の敷き設方法である。
【発明の効果】
【０００８】
本発明は、裏面体をあらかじめ作成し、その上から区画枠体を敷き設するため、狭い透孔を有する蓋部で覆われた緑化部に土壌を充填する必要がなくなる。
コケを主体とする植物を育成するため、芝生のように繁茂した場合の刈り取りなどの手間がかからない。
【発明を実施するための最良の形態】
【０００９】
以下本発明を図により詳細に説明する。
図1は本第１の発明に使用する区画枠体の概念図である。図1に示したように、区画枠体は複数の区画部を有する。図例では大きな四角には所定のブロックが挿入されあるいはコンクリートモルタルなどを充填するブロック形成部である。細長い四角と小さな四角の区画は緑化部である。緑化部上面は蓋され、その蓋部にスリットが設けられており、雨水が浸透するとともに、植物が延出する開口部となっている。スリットの幅は人が歩くときハイヒールなどの踵が嵌らないよう、あるいは幅の狭いタイヤの自転車あるいは車椅子などの走行を妨げない程度の幅に設定しておくことが好ましい。図ではスリットとしてあるが網目状でも格子状でも差支えがない。
【００１０】
図２は、上記区画枠体の裏面を写し取る裏面写取型である。裏面写取型を路盤に設置し、上から植物が育成しやすい培養土、種あるいは植物を配合し、必要に応じて適度な水分を加え裏面写取型の隙間に充填したあと取り除くことで図3に示したような裏面体が形成される。裏面体を形成する土壌は、特にコケ類をその表面に育成した発泡ガラス、パーキュムライト、赤玉土、鹿沼土など水分をその内部に保持しうるものを単独あるいは適宜混合したものを使用することが好ましい。
【００１１】
図3に示す裏面体に区画枠体を重ねれば、区画枠体の緑化部に相当する下部に上記土壌で形成された裏面体がそのまま残り、狭い緑化部の透孔から土壌を充填する必要がなくなる。
【００１２】
図4は上記手順を模式的に示したものである。図4aは裏面体上に区画枠体が重なった状態を示すものであり、図4bはその横に裏面写取型を並べ、土壌を充填する前の状態を示している。図4ｃは裏面写取型が取り除かれた状態を示している。図4ｄは区画枠体を裏面体上に重ねようとしている状態を示している。これら手順を繰り返して区画枠体の敷き設がなされ、ブロック形成部に所定のブロックが挿入されて緑化用ブロック舗装が完了する。
【００１３】
区画枠体の形状は図1に示したものに限定されない。ブロック形成部の形状も四角に限らず他の多角形、円、楕円、弧状、など適宜変更できる。緑化部の形状もブロック形成部の形状に合わせ適宜変更することができる。
区画枠体の材質も金属あるいはプラスチックなど設置目的、耐久性その他を勘案して決めることができる。
【図面の簡単な説明】
【００１４】
【図１】本発明に使用する区画枠体の例を示す。
【図２】区画枠体の裏面写取型を示す概念図である。
【図３】区画枠体の裏面体を示す概念図である。
【図４】施工の手順を示す図である。
【符号の説明】
【００１５】
１  区画枠体
２  裏面写取型
３  裏面体
４  ブロック形成部
５  緑化部
【図１】
2006022476.tif 000003
【図２】
2006022476.tif 000004
【図３】
2006022476.tif 000005
【図４】
2006022476.tif 000006